【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  マルチバンクタイプのメモリのメモリバンクに含まれるメモリページへの、メモリコントローラによるメモリアクセスを高速化する方法であって、
前記メモリコントローラは、前記複数のメモリバンクの１つにそれぞれ関連付けられた複数のページレジスタを含み、
特定のバンクに関連付けられた一つのページレジスタは、特定のバンク番号と、前記特定のバンク番号内に位置指定されたオープンページアドレスと、オープンページ状況と、を格納するように構成され、
前記メモリコントローラは、さらに、前記複数のページレジスタのそれぞれに結合された調整可能な比較器ユニットを含み、
前記方法は、
要求されたバンク番号と要求されたページ番号とを含む着信システムアドレス要求を受信する工程と、
前記要求されたバンク番号に対応するページレジスタを前記比較器によって検出する工程と、
前記検出されたページレジスタに含まれる前記保管ページアドレスを、前記要求されたページアドレスと比較する工程と、
前記保管ページアドレスが、前記要求されたメモリバンクの前記要求されたページアドレスに一致する場合は、前記要求されたバンク番号に対応する前記メモリバンク内の前記要求されたページにアクセスする工程と
を含む、方法。
【請求項２】  請求項１に記載の方法であって、
前記保管ページアドレスが、前記要求されたメモリバンクの前記要求されたページアドレスに一致しない場合は、
前記保管ページアドレスに対応する前記メモリページをクローズし、
前記要求されたページアドレスに対応する前記メモリページをオープンし、
前記要求されたメモリページにアクセスする、方法。
【請求項３】  請求項２に記載の方法であって、
前記メモリデバイスはSDRAMである、方法。
【請求項４】  請求項３に記載の方法であって、
前記比較器は調整可能な比較器である、方法。
【請求項５】  請求項４に記載の方法であって、
前記調整可能な比較器は、前記マルチバンクメモリデバイスの動作特性に基づいて設定される、方法。
【請求項６】  請求項５に記載の方法であって、
前記動作特性は、前記メモリコントローラに結合されたアドレススペースコントローラユニットに格納される、方法。
【請求項７】  請求項６に記載の方法であって、
前記特定のバンク番号が決定された場合は、前記調整可能な比較器を設定するために前記特定のバンクの前記動作特性が使用される、方法。
【請求項８】  N個のメモリバンクを有するマルチバンクタイプのメモリのメモリバンクに含まれるメモリページへの、メモリコントローラによるアクセスを高速化する方法であって、
前記メモリコントローラはM個のページレジスタを含み、前記ページレジスタの数Ｍは前記メモリバンクの数Ｎより少なく、前記N個のメモリバンクの全てが前記M個のページレジスタに表されるわけではなく、
一つのページレジスタは、前記N個のメモリバンクのうちの選択された１つに対応する選択されたバンク番号と、前記選択されたバンク内に位置指定されたオープンページアドレスと、オープンページ状況と、を格納するように構成され、
前記メモリコントローラは、さらに、前記複数のページレジスタのそれぞれに結合された調整可能な比較器ユニットを含み、
前記メモリコントローラは、さらに、１とMとを含む１からMまでの整数をランダムに生成するように構成されるランダムページレジスタ番号生成部を含み、
前記方法は、
要求されたバンク番号と要求されたページ番号とを含む着信システムアドレス要求を受信する工程と、
前記要求されたバンク番号に対応するページレジスタを前記比較器によって検出する工程と、
前記検出されたページレジスタに含まれる前記保管ページアドレスを、前記要求されたページアドレスと比較する工程と、
前記保管ページアドレスが、前記要求されたメモリバンクの前記要求されたページアドレスに一致する場合は、前記要求されたバンク番号に対応する前記メモリバンク内の前記要求されたページにアクセスする工程と、
前記要求されたバンクと前記保管ページアドレスとが一致しない場合は、ランダムページレジスタ番号生成部によって番号を付与される前記バンクの前記ページレジスタから得られるページアドレスを使用して、前記保管ページをクローズする工程と、
前記着信システムアドレスから得られる前記ページアドレスを使用して、新しいページをオープンする工程と、
前記要求されたバンクにアクセスする工程と、
を含む、方法。
【請求項９】  請求項８に記載の方法であって、
前記メモリデバイスはSDRAMである、方法。
【請求項１０】  請求項９に記載の方法であって、
前記比較器は調整可能な比較器である、方法。
【請求項１１】  請求項１０に記載の方法であって、
前記調整可能な比較器は、前記マルチバンクメモリデバイスの動作特性に基づいて設定される、方法。
【請求項１２】  請求項１１に記載の方法であって、
前記動作特性は、前記メモリコントローラに結合されたアドレススペースコントローラユニットに格納される、方法。
【請求項１３】  請求項１２に記載の方法であって、
前記特定のバンク番号が決定された場合は、前記調整可能な比較器を設定するために前記特定のバンクの前記動作特性が使用される、方法。
【請求項１４】  N個のメモリバンクを有するマルチバンクタイプのメモリのメモリバンクに含まれるメモリページへの、メモリコントローラによるメモリアクセスを高速化する方法であって、
前記メモリコントローラはM個のページレジスタを含み、前記ページレジスタの数Ｍは前記メモリバンクの数Ｎより少なく、前記N個のメモリバンクの全てが前記M個のページレジスタに表されるわけではなく、
一つのページレジスタは、前記N個のメモリバンクのうち選択された１つに対応する選択されたバンク番号と、前記選択されたバンク内に位置指定されたオープンページアドレスと、オープンページ状況と、を格納するように構成され、
前記メモリコントローラは、さらに、前記複数のページレジスタのそれぞれに結合された調整可能な比較器ユニットを含み、
前記メモリコントローラは、さらに、最も古い未使用のページレジスタの番号をランダムに生成するように構成される最先使用生成部を含み、
前記方法は、
要求されたバンク番号と要求されたページ番号とを含む着信システムアドレス要求を受信する工程と、
前記要求されたバンク番号に対応するページレジスタを前記比較器によって検出する工程と、
前記検出されたページレジスタに含まれる前記保管ページアドレスを、前記要求されたページアドレスと比較する工程と、
前記保管ページアドレスが、前記要求されたメモリバンクの前記要求されたページアドレスに一致する場合は、前記要求されたバンク番号に対応する前記メモリバンク内の前記要求されたページにアクセスする工程と、
前記要求されたバンクと前記保管ページアドレスとが一致しない場合は、最先使用ページレジスタ番号生成部によって番号を付与される前記バンクの前記ページレジスタからのページアドレスを使用して、前記保管ページをクローズする工程と、
前記着信システムアドレスから得られる前記ページアドレスを使用して、新しいページをオープンする工程と、
前記要求されたバンクにアクセスする工程と、
を含む、方法。
【請求項１５】  請求項１４に記載の方法であって、
前記メモリデバイスはSDRAMである、方法。
【請求項１６】  請求項１５に記載の方法であって、
前記比較器は調整可能な比較器である、方法。
【請求項１７】  請求項１６に記載の方法であって、
前記調整可能な比較器は、前記マルチバンクメモリデバイスの動作特性に基づいて設定される、方法。
【請求項１８】  請求項１７に記載の方法であって、
前記動作特性は、前記メモリコントローラに結合されたアドレススペースコントローラユニットに格納される、方法。
【請求項１９】  請求項１８に記載の方法であって、
前記特定のバンク番号が決定された場合は、前記調整可能な比較器を設定するために前記特定のバンクの動作特性が使用される、方法。